(57)【要約】【課題】イオン発生と加湿機能の両方を持たせた加湿機能付きイオン発生機において、イオン発生器の周囲における湿度がイオン発生の効率が低くなる低湿度である場合に、加湿機能によって得られる加湿空気を利用してイオン発生器の周囲の湿度を確保する。【解決手段】加湿機能付きイオン発生機１は、送風ファン３１により吸込まれ加湿フィルタ３６を通すことで加湿された空気を吹出す送風ダクト（加湿側風路）３３と、送風ファン２１により吸込まれた空気にイオン発生器２４からのイオンを付加させるイオン送風ダクト（イオン発生側風路）２３とを独立して備えている。設置された湿度センサ４２により検知した導入空気の湿度がイオン発生の最適湿度を下回る場合、送風ダクト３３とイオン送風ダクト２３を仕切るダンパ４１を開く。加湿空気の一部をイオン発生側風路に流入させて湿度をイオン発生の最適湿度まで上げることでイオン発生効率を向上させる。【選択図】図６
2011152260.tif 000002
【特許請求の範囲】
【請求項１】
送風ファンにより吸込まれ且つ加湿フィルタを通すことで加湿された空気を吹出す加湿側風路と、別の送風ファンにより吸込まれた空気をイオン発生器の前方を通過させることでイオンを付加された空気を吹き出すイオン発生側風路とを独立して備える加湿機能付きイオン発生機において、
前記イオン発生側風路への導入空気の湿度を検知する湿度センサを設置し、前記湿度センサが検知した湿度がイオン発生の最適湿度を下回ることに応じて、前記加湿側風路と前記イオン発生側風路を仕切るダンパを開いて、前記加湿側風路を流れる加湿空気の一部を前記イオン発生側風路に流すことを特徴とする加湿機能付きイオン発生機。
【請求項２】
前記湿度センサは前記イオン発生側風路の吹出し口に設置されていることを特徴とする請求項１に記載の加湿機能付きイオン発生機。
【請求項３】
前記湿度センサは、前記加湿機能付きイオン発生機の外側に設置されていることを特徴とする請求項１に記載の加湿機能付きイオン発生機。
【請求項４】
前記加湿側風路と前記イオン発生側風路とは、共通のケーシングを隔壁として仕切られており、前記ダンパは前記隔壁の一部を前記加湿側風路側にスイング可能に設けられていることを特徴とする請求項１〜３のいずれか一項に記載の加湿機能付きイオン発生機。
【発明の詳細な説明】
【技術分野】
【０００１】
この発明は、湿分を放出して加湿を行う機能と、イオンを発生する機能とを併せ持つ加湿機付きイオン発生機に関する。
【背景技術】
【０００２】
従来、健康指向の高まりから、ウィルス除去対策としてイオン発生機が主流となっている。また、ウィルスの活性化の抑制効果としては加湿器等による環境湿度の適正化が効果的であるのは周知の事実である。
【０００３】
加湿器とイオン発生機とは、それぞれよく知られた電気機器であるが、現在のところ、それぞれが別の製品として市場に提供されており、加湿とイオンの供給を同時に受けようとする使用者は、それぞれの機器を別々に購入して同時に使用しているのが実情である。しかしながら、加湿器とイオン発生機とを別々に購入したとしても、室内に両機器のそれぞれに相応するスペースを必要とし、両機器のためのそれぞれの電源を確保する必要や、湿分の供給方向とイオンの放出方向とをそれぞれの機器で個別に調節する必要があるなど、設置や使用について煩雑さが残る。
【０００４】
また、同じ室内で加湿器とイオン発生機とを併用している場合には、それぞれから放出される湿分やイオンが互いに無関係な別々な方向に供給されるのでは、両機能の使用者は両方の機能の恩恵を同時に受けることができない。
【０００５】
ここで両方の効果を期待する場合、別々に構成されたイオン発生機と加湿器とを同じ部屋に設置するか、または加湿機能側風路にイオン発生デバイス（ここでは、プラズマクラスタイオン発生装置）を設けることにより、ある程度の相乗効果が期待される。しかしながら、適正加湿による加湿側の風量（風速）の変化により、イオンの発生量が期待できない、という不満がある。
【０００６】
加湿機能の運転制御は、運転をＯＮとしても室内の湿度に応じて運転やその停止を繰り返す。即ち、部屋内において所定の湿度までの加湿が達成されると、通常は、暫くの間その湿度が維持されるので、加湿機能を低下又は停止する等の加湿機能の制御が行われる。湿度が所定の湿度から十分変化すると、目標湿度との偏差が大きくなり、加湿機が再び運転される。したがって、加湿機能を低下又は停止する場合には、送風ファンの作動は低下するように制御され、加湿機能の空気取入れ口からの空気の取入れは弱められる、或いは一時的に停止することもある。
【０００７】
これに対して、イオン発生機は、発生したイオンの寿命が湿度の変化が生じるまでのような十分長い寿命ではないので、運転中は常に連続した送風状態にしておき、要求される量のイオンを連続して放出する必要がある。したがって、イオン発生機と加湿機とでは風量制御において風量及びその風量が要求される時間等の要求される事項が異なっていて相容れないものであり、単純な組み合わせ、例えばイオン発生器を加湿器の出口風路に設置する、などというような対処では、こうした要求に応えることができないものである。
【０００８】
加湿機能の空気取入れ口とイオン発生のための空気取入れ口とを隣接して配置していると、互いの空気取入れ口での空気取り入れ状態に干渉が生じ、特に、イオン発生側で必要な風量が確保されない懸念がある。
また、イオン発生機と加湿機の両方の機能を組み込んだ場合には、設置スペースや価格の面で解決すべき課題があった。
更にまた、従来のイオン発生機は一つの風路で形成されている。そして、風路に設けられているイオン発生装置は、着脱自在に設けられている。上記のような方式は、一つの風路で形成したものは、大口径のファンが必要で幅の大きな製品となっていた。
【０００９】
図９及び図１０は、従来の加湿器の一例を示す正面断面図とその側面断面図である。加湿器５０においては、ファンモータ６０とそれによって駆動されるファン６１によって筐体５１の前面の空気取入れ口５２から空気が取り入れられる。取り入れられた空気は、塵埃除去用フィルタ５３によって塵埃が取り除かれた後、タンク５４から水の供給を受けるトレイ５５に置かれた加湿フィルタ５６を通過し、その際に気化する水分の供給を受けて加湿された空気を送風ダクト５７を通じて吹出し口５８から放出している。加湿フィルタ５６の近傍にはイオン発生器６２が設けられており、イオン発生器６２が発生させたイオンを加湿空気に含ませて放出するように工夫されている。
【００１０】
本出願人は、空気調和機の吹き出し口から座席までの距離や、ダクトの長さによるイオンの減衰を防いで、簡易に低コストで、イオンを座席周辺に優先的に高濃度で拡散することができるイオン発生装置を提供している（特許文献１参照）。このイオン発生装置は、送風機と、プラスイオンとマイナスイオンとを発生させるイオン発生器とを備え、イオン発生器は、建屋内の空間又は移動体内の空間に配置された座席に取り付けられるか、もしくは座席近傍に設置されている。
【先行技術文献】
【特許文献】
【００１１】
【特許文献１】特開２００７−２２９０６０号公報
【発明の概要】
【発明が解決しようとする課題】
【００１２】
ところで、イオン発生量には湿度が関係しており、最適湿度（３０％以上）を下回るとイオン発生効率が低下することが知られている。このように、加湿機能とイオン発生機能とに求められる運転内容が異なっており、イオン発生の際にはある程度の湿度があることが求められている。
【００１３】
そこで、加湿機能とイオン発生機能とでそれぞれ個別に送風ファンと風路が設けられている加湿機能付きイオン発生機において、加湿機能によって得られる加湿空気を利用して、イオン発生に要求される湿度を確保する点で解決すべき課題がある。
この発明の目的は、上記課題を解決することであり、イオン発生と加湿機能の両方を持たせた加湿機能付きイオン発生機において、イオン発生器の周囲における湿度がイオン発生の効率が低くなる低湿度の場合には、加湿機能によって得られる加湿空気を利用してイオン発生器の周囲の湿度を確保し、高いイオン発生効率を維持し、機能目的に対応した制御を行って健康志向の生活環境を提案することである。
【課題を解決するための手段】
【００１４】
上記の課題を達成するため、この発明による加湿機能付きイオン発生機は、送風ファンにより送風路に吸込まれた空気を加湿フィルタを通すことで加湿し吹出す加湿側風路と、別の送風ファンにより前記送風路とは異なる送風路内に吸込まれた空気を、送風路内に配置したイオン発生装置の前方を通過させることでイオンを付加させるイオン発生側風路とを独立して備える加湿機能付きイオン発生機において、前記イオン発生側風路への導入空気の湿度を検知する湿度センサを設置し、前記湿度センサが検知した湿度がイオン発生の最適湿度を下回ることに応じて、前記加湿側風路と前記イオン発生側風路を仕切るダンパを開いて、前記加湿側風路を流れる加湿空気の一部を前記イオン発生側風路に流すことを特徴としている。
【００１５】
この発明による加湿機能付きイオン発生機によれば、湿度センサは、イオン発生側風路への導入空気の湿度を検知し、湿度センサが検知した湿度がイオン発生の最適湿度を下回る場合には、そのことに応じて、加湿側風路とイオン発生側風路を仕切るダンパを開いて、加湿側風路を流れる加湿空気の一部をイオン発生側風路内に流入させるので、加湿機能によって得られる加湿空気を利用してイオン側風路内の湿度をイオン発生の最適湿度まで上げることができる。
【００１６】
また、この加湿機能付きイオン発生機において、イオン発生器の近傍に湿度センサを設置するのに十分な空間がない場合には、イオン発生側風路の吹出し口に湿度センサを設置することができる。イオン発生側風路の吹出し口において導入空気の湿度を検知し、検知した湿度がイオン発生の最適湿度を下回る場合、加湿側風路とイオン発生側風路を仕切るダンパを開く制御を行う。
【００１７】
また、この加湿機能付きイオン発生機において、機器内部に湿度センサを設置するのに十分な空間がない場合には、加湿機能付きイオン発生機の外側に湿度センサを設置することができる。加湿機能付きイオン発生機の外側において湿度センサにより室内空気の湿度を検知し、検知した湿度がイオン発生の最適湿度を下回る場合、加湿側風路とイオン発生側風路を仕切るダンパを開く。
【００１８】
更に、この加湿機能付きイオン発生機において、加湿側風路とイオン発生側風路とを、共通のケーシングを隔壁として仕切り、隔壁の一部を加湿側風路側にスイング可能にしてダンパを設けることができる。
【発明の効果】
【００１９】
この発明による加湿機能付きイオン発生機は上記のように構成されているので、イオン発生機能と加湿機能に必要な風路を独立させ、且つ風路を効果的な位置・構造・機能を持たせることにより、それぞれの機能を十分発揮することができ、廉価で省スペースな製品を提供することができる。また、この加湿機能付きイオン発生機によれば、イオン発生と加湿機能とを同じ筐体内に備えているので、持ち運び際にも二つの機能をまとめて移動させることができるとともに、各別に風路が備わっているのでそれぞれが互いに干渉することなく個別に作動させることができ、室内の環境を健康志向に整えることができる。そして、本加湿機能付きイオン発生機によれば、湿度センサが検出したイオン側風路内の湿度が最適湿度を下回った場合には、そのことに応じて加湿側風路とイオン発生側風路を仕切るダンパを開いて加湿側風路の加湿空気をイオン発生側風路側に流入させるので、加湿機能によって湿度が高められた加湿空気がイオン発生側風路に導入された空気と混合利用されて、イオン側風路内の湿度をイオン発生の最適湿度まで上昇され、高いイオン発生効率を維持することができる。
【図面の簡単な説明】
【００２０】
【図１】本発明による加湿機能付きイオン発生機を加湿機能側の後方上側から見た斜視図である。
【図２】本発明による加湿機能付きイオン発生機をイオン発生側の後方上側から見た斜視図である。
【図３】図１及び図２に示す加湿機能付きイオン発生機の前後及び左右、並びに頂面から見た図である。
【図４】図１及び図２に示す加湿機能付きイオン発生機のイオン発生側を示す縦断面図である。
【図５】図１及び図２に示す加湿機能付きイオン発生機のイオン発生側と加湿機能側とを横切る方向に切断した縦断面図である。
【図６】図５に示す加湿機能付きイオン発生機をダンパが開かれた状態で示す縦断面図である。
【図７】図１及び図２に示す加湿機能付きイオン発生機の加湿機能側を示す縦断面図である。
【図８】図１及び図２に示す加湿機能付きイオン発生機側と加湿機能側とを左右に分けて説明する説明図である。
【図９】本発明による加湿機能付きイオン発生機から吹き出される気流の様子を模式的に示す図である。
【図１０】従来の加湿器の一例を示す正面断面図である。
【図１１】図１０に示す加湿器の側面断面図である。
【発明を実施するための形態】
【００２１】
以下、添付した図面に基づいて、この発明による加湿機能付きイオン発生機の実施例を説明する。図１は本発明による加湿機能付きイオン発生機を加湿機能側の後方上側から見た斜視図であり、図２は図１に示す加湿機能付きイオン発生機をイオン発生側の後方上側から見た斜視図である。図３は図１及び図２に示す加湿機能付きイオン発生機の前後及び左右、並びに頂面から見た図である。図３の（ａ）は図１及び図２に示す加湿機能付きイオン発生機の正面図であり、同（ｂ）はイオン発生側を示す右側面図、同（ｃ）は加湿機能側を示す左側面図、（ｄ）は背面図、（ｅ）は頂面図である。
【００２２】
図１〜図３に示す加湿機能付きイオン発生機１は、横断面形状が角を丸めた略正方形で且つ全体として上に向かうに従って僅かに窄み形状に形成された角柱状のケースを呈する筐体２を有している。図に筐体２の前面３及び後面４は平坦面となっており、右側面５及び左側面６にはそれぞれ後述するように空気取入れ口１２，１３が開口している。筐体２の底部には、適宜形状の四つの足部８が設けられている。
【００２３】
筐体２の頂面７には、加湿機能付きイオン発生機１のための操作部９が設けられている（図３（ｅ））。操作部９は、イオン発生部１０と加湿機能部１１とをそれぞれ独立して操作することができるように設けられている。
【００２４】
本加湿機能付きイオン発生機は、筐体２内にイオン発生部１０と加湿機能部１１とが併置され、イオン発生部１０と加湿機能部１１とがそれぞれ空気取入れ口１２，１３から空気吹出し口１４，１５に至る風路を備えている。即ち、加湿機能付きイオン発生機１の正面右側には、イオン発生側としてのイオン発生部１０が配設されており、正面左側には加湿機能側としての加湿機能部１１が配設されている。イオン発生部１０のための空気取入れ口１２が筐体２の右側面５に開口しており、加湿機能部１１のための空気取入れ口１３が筐体２の左側面６に開口している。空気取入れ口１２と空気取入れ口１３の配置は、筐体２の互いに反対方向を向いた側面に開口する配置となっているので、各側でのモータファン（後述する）による空気取入れ口１２と空気取入れ口１３での空気の取り込みは互いに影響されることがない。したがって、本加湿機付きイオン発生機は、イオン発生と加湿のそれぞれの機能に干渉することがなく、各機能の側で必要な風量が確保され、且つ湿分とイオンの放出についても放出方向を合理的なものとし、加湿機能とイオン発生機能とを併せ持つことができる。また、空気取入れ口１２，１３のある左右側面を開けておくことで、背面を部屋の壁に接近させて配置することが可能となり、部屋のスペースを有効的に利用することができる。
【００２５】
筐体１のフラットに形成されている頂面７には、イオン発生部１０からイオンを含む気流を吹出すための吹出し口１４と、加湿機能部１１から湿分を含んだ気流を放出するための吹出し口１５とが開口するように形成されている。イオン発生部１０のための吹出し口１４と加湿機能部１１のための吹出し口１５とは、イオン発生部１０と加湿機能部１１とが設けられる側に対応して、それぞれ正面右側及び正面左側に配置されている。吹出し口１４，１５の頂面７における開口形状（四角）及び開口面積は、風量の設定上、同じ大きさとするのが好ましい。
【００２６】
加湿器から吐出される湿分を含む気流と、イオン発生機から放出されるイオンを多量に含む気流とは、例えば、室内において使用者が居る方向に向けて同じ方向に吹き出すのが好ましい。したがって、吹出し口１４，１５は、頂面７において左右に並べて配置されている。また、吹出し口１４，１５には、気流の放出方向を案内するルーバ１９（図３（ｅ）５参照）を設けてよく、ルーバ１９の方向についても吹出し口１４，１５で同じ方向に設定するのが好ましい。図示の例では、吹出し口１４，１５は、筐体１の背面側に寄った位置に配置されているが、これに限ることなく、前後方向の中間部等の位置に変更可能である。ルーバ１９については更に、方向を可変にしてもよく、またルーバ１９を備えた案内アダプタを吹出し口１４，１５に脱着可能としてもよい。このように、イオン発生部１０側及び加湿機能部１１側の空気吹出し口１４，１５を同じ風向位置にし、更にイオンと加湿空気の両吹出し方向を風向ルーバ１９によって同じ風向に制御することにより、イオンと加湿とを室内空間で混合させることができ、より効果的な環境を実現することができる。
【００２７】
イオン発生部１０については、その詳細が図４、並びに図５及び図６の右側に示されている。図４は、図１及び図２に示す加湿機能付きイオン発生機のイオン発生側を示す縦断面図である。図５は、図１及び図２に示す加湿機能付きイオン発生機のイオン発生側と加湿機能側とを横切る方向に切断した縦断面図であり、図６は図５に示す加湿機能付きイオン発生機を、ダンパが開かれた状態で示した図である。図４〜図６に示すように、イオン発生部１０は、筐体１内において、空気取入れ口１２に連なる開口が形成されている外側のイオンケーシングＡ１６と、イオンケーシングＡ１６に対向して筐体１の内部中心側に配置されているイオンケーシングＢ１７とで囲まれて形成されている。両イオンケーシング１６，１７間に形成される下部空間２２には、イオン送風用モータ２０と、このイオン送風用モータ２０で回転駆動されるイオン送風用ファン２１とが、空気取入れ口１２に臨む位置においてイオンケーシングＢ１７に支持される態様で配設されている。筐体２の空気取入れ口１２には、人の手や指或いは異物が侵入して危険な状態となるのを防止するため、吸込みガード１８が張設されている。
【００２８】
両イオンケーシング１６，１７間には、吹出し口１４に向かって上方に延びるイオン発生側風路としてのイオン送風ダクト２３が形成されている。イオン送風用モータ２０は、送風ダクト２３の配置に合わせて効率的な送風を行うため、空気取入れ口１２側から見て左回りに回転するように設定されている。送風ダクト２３にはイオン発生器２４がイオンケーシングＡ１６に嵌め込み装着される態様で配設されている。イオン発生器２４は、筐体１の上方から、送風ダクト２３を通してイオンケーシングＡ１６に着脱自在に取り付けることができる。イオン発生器２４が発生させたイオンは、イオン送風ダクト２３を流れる空気の流れ（矢印で示す）によって吹出し口１４から室内へと供給される。
【００２９】
加湿機能部１１は、その詳細が図５及び図６の左側及び図７に示されている。図７は図１及び図２に示す加湿機能付きイオン発生機の加湿機能側を示す縦断面図である。図５〜図７に示すように、加湿機能部１１は、筐体１内において、空気取入れ口１３に連なる開口が形成されている外側の加湿ケーシングＡ２６と、加湿ケーシングＡ２６に対向して筐体１の内部中心側に配置されている加湿ケーシングＢ２７とを含む構造とされている。両加湿ケーシング２６の上部は、筐体１の左側面６との間に空間３７を形成しており、この空間３７内には、加湿送風用モータ３０が空気取入れ口１３に臨む位置において加湿ケーシングＡ２６に支持される態様で配設されている。両加湿ケーシング２６，２７間には、吹出し口１５に向かって上方に延びる加湿側風路としての送風ダクト３３が形成されている。加湿送風用モータ３０の出力回転軸３０ａは加湿ケーシングＡ２６を貫通して送風ダクト３３内に突出しており、この出力回転軸３０ａには加湿送風用ファン３１が取り付けられており、加湿送風用モータ３０は送風ダクト３３内で加湿送風用ファン３１を回転駆動する。筐体１の空気取入れ口１３には、人の手や指或いは異物が侵入して危険な状態となるのを防止するため、吸込みガード２８が張設されている。
【００３０】
加湿ケーシングＡ２６の下部空間３２には加湿用水トレイ３４が配設されており、加湿用水タンク３５から加湿用水が加湿用水トレイ３４に供給される。加湿用水トレイ３４には加湿フィルタ３６が設けられており、加湿フィルタ３６が吸い上げた加湿用水は、加湿送風用モータ３０−加湿送風用ファン３１によって空気取入れ口１３から吸い込まれた空気が下部空間３２において加湿フィルタ３６を通過する際に、湿分となって空気に含まれることになり、このようにして加湿された空気は送風ダクト３３を通って吹出し口１５から室内等に放出される。吸い込まれた空気及び加湿された空気の流れが矢印で示されている。
【００３１】
加湿用水トレイ３４と加湿フィルタ３６とを設けるために、加湿機能部１１はイオン発生部１０よりも幅広に構成される。したがって、加湿ケーシングＢ２７は筐体１の左右中央よりもイオン発生部１０側に寄った位置に設けられており、その結果、送風ダクト３３は筐体１の中央部分を筐体１の底部近傍から筐体１の頂面７の近傍まで延びている。吹出し口１５は筐体１の頂面７の左半分に形成されているので、加湿送風用ファン３１によって送風ダクト３３内を吸い込んで送られる気流は左側に寄せられた後に吹出し口１５に向かう。加湿送風用モータ３０は、送風ダクト２７の配置に合わせて効率的な送風を行うため、空気取入れ口１３側から見て右回りに回転するように設定されている。
【００３２】
図５及び図６に示すように、イオン送風ダクト２３と送風ダクト３３とは、筐体２内の中央部において下方から上方へ且つ互いに隣接して延びて配置されており、筐体２内部の空間の有効・活用ができ商品のコンパクト化を図ることができるものとなっている。そして、イオン送風ダクト２３の風路壁の一部であるイオンケーシングＢ１７と、送風ダクト３３の風路壁の一部である加湿ケーシングＢ２７とは、一つの隔壁４０を構成しており、隔壁４０の一部は送風ダクト３３側にスイング可能なダンパ４１に構成されている。ダンパ４１は、加湿機能付きイオン発生機の制御機能によって、ＯＮ・ＯＦＦ可能な電磁マグネット等の素子で駆動させることができる。即ち、イオン送風ダクト２３の吹出し口１４には空気の湿度を検出する湿度センサ４２が設けられている。加湿機能付きイオン発生機の制御機能は、湿度センサ４２が検出した空気の湿度がイオン発生にとって最適な湿度（３０％以上）を下回ることに応答して、ダンパ４１を開くように制御する。加湿機能付きイオン発生機の加湿機能によって室内の空気湿度が上記最適湿度を確保するまでに高くなると、湿度センサ４２が当該湿度を検出することに応答して、ダンパ４１を閉じるように制御する。湿度センサ４２は、イオン送風ダクト２３の吹出し口１４に代えて、加湿機能付きイオン発生機１の外側（筐体２の外面上）に設置することもでき、また、イオン送風ダクト２３のダンパ４１よりも上流側の適宜の位置に設けることもできる。
【００３３】
図６には、ダンパ４１が開いた状態に示されており、送風ダクト３３を流れる加湿空気の一部が開いたダンパ４１を通じてイオン送風ダクト２３に流れ込む。このイオン送風ダクト２３へ流れ込む気流がＦｃとして示されている。加湿空気のイオン送風ダクト２３への流れ込みはイオン発生器２４の上流側で行われるので、イオン発生器２４の周囲ではイオン送風用モータ２０によって送られて来る空気流れと混合してイオン発生器２４の周囲湿度は最適湿度を下回らないように確保され、イオン発生効率を高い状態に維持することができる。
【００３４】
図８は、本発明による加湿機能付きイオン発生機を、右側のイオン発生部１０側と加湿機能部１１側とで並べて示す図である。加湿側風路とイオン発生側風路を仕切る隔壁４０に設けられているダンパ４１は閉じられている。イオン発生部１０側と加湿機能部１１側とで、取り入れられた空気の流れが矢印で示されている。本加湿機能付きイオン発生機によれば、イオン発生部１０と加湿機能部１１とでそれぞれ必要な風路が独立しており、イオン発生風路側にイオン発生に必要な風量（風速）を確保するイオン送風用モータ２０と当該モータ２０によって駆動されるイオン送風用ファン２１とを設けて、イオン発生に最適な制御を行い、また、加湿機能側には適正湿度を確保する加湿送風用モータ３０及び当該モータ３０によって駆動される加湿送風用ファン３１とを設けており、イオン発生側風路と加湿機能側とでそれぞれ独立したモータ運転制御を行っているので、それぞれの機能を十分発揮できるものとなっている。各部１０，１１の構造は、図４〜図７に詳細を示したとおりであるので、再度の説明を省略する。
【００３５】
図９は、本発明による加湿機能付きイオン発生機１から吹き出される気流の様子が模式的に描かれている。図では、イオン発生部１０から吹き出される気流３８と加湿機能部１１から加湿機能付きイオン発生機１の後方に向かって吹き出される気流３９とが分かれていくように描かれているが、加湿機能付きイオン発生機１の前方に向かって、又は両気流が混合されるように吹き出されるように構成しても勿論構わない。この場合、双方の気流が一つの流れを形成してより遠くまで加湿空気とイオンを届かせることが可能である。また、ルーバ１９によって吹出し方向を変更してもよいことは明らかである。
【００３６】
図示の例ではイオン発生器が設けられるイオン発生部１０は一つのイオン発生部として設けられていたが、こうした構造に代えて、二つの送風機を設け、イオン発生器を各送風機の出口側にそれぞれ配設して二つのイオン発生部を設け、各イオン発生器を対応する送風機の動作にあわせて作動させてもよい。この場合、一つの風路について、給水装置と加湿フィルタで構成した加湿装置を配設することができる。なお、イオン発生用の電極は、異なる面に配置させることができる。
【符号の説明】
【００３７】
１  加湿機能付きイオン発生機          ２  筐体
３  前面                              ４  後面
５  右側面                            ６  左側面
７  頂面                              ８  足部
９  操作部
１０  イオン発生部                      １１  加湿機能部
１２，１３  空気取入れ口                １４，１５  吹出し口
１６  イオンケーシングＡ                １７  イオンケーシングＢ
１８  吸込みガード                      １９  ルーバ
２０  イオン送風用モータ                ２１  イオン送風用ファン
２２  下部空間                          ２３  イオン送風ダクト
２４  イオン発生器
２６  加湿ケーシングＡ                  ２７  加湿ケーシングＢ
２８  吸込みガード
３０  加湿送風用モータ                  ３１  加湿送風用ファン
３２  下部空間                          ３３  送風ダクト
３４  加湿用水トレイ                    ３５  加湿用水タンク
３６  加湿フィルタ                      ３７  空間
３８，３９  気流
４０  隔壁                              ４１  ダンパ
４２  湿度センサ
【図１】
2011152260.tif 000003
【図２】
2011152260.tif 000004
【図３】
2011152260.tif 000005
【図４】
2011152260.tif 000006
【図５】
2011152260.tif 000007
【図６】
2011152260.tif 000008
【図７】
2011152260.tif 000009
【図８】
2011152260.tif 000010
【図９】
2011152260.tif 000011
【図１０】
2011152260.tif 000012
【図１１】
2011152260.tif 000013